(57)【要約】【課題】プラスチック製配管の伸縮にともなう蛇行や変形の防止が図られた配管の固定手段を提供すること。【解決手段】プラスチック製配管の継手部を固定するための配管用固定部材において、互いに離間して対向するように配置される一対の挟持具であって、配管本体の外周の少なくとも上部半周に沿って嵌合する断面逆Ｕ字状の挟持具と、前記一対の挟持具を前記配管の前記継手部を挟むようにして継手部両端に配置して、これら一対の挟持具を連結固定するための連結具と、前記一対の挟持具を支持躯体に固定するための支持固定具とからなることを特徴とする配管用固定部材、およびこの固定部材を用いた配管固定構造。【選択図】図１
2008121741.tif 000002
【特許請求の範囲】
【請求項１】
プラスチック製配管の継手部を固定するための配管用固定部材において、
互いに離間して対向するように配置される一対の挟持具であって、配管本体の外周の少なくとも上部半周に沿って嵌合する断面逆Ｕ字状の挟持具と、
前記一対の挟持具を前記配管の前記継手部を挟むようにして継手部両端に配置して、これら一対の挟持具を連結固定するための連結具と、
前記一対の挟持具を支持躯体に固定するための支持固定具とからなることを特徴とする、配管用固定部材。
【請求項２】
プラスチック製配管本体と該プラスチック製配管本体同士を接続するための継手部からなる配管を支持躯体に固定するための配管固定構造において、
請求項１に記載の配管用固定部材を用いてプラスチック製配管の継手部を固定することによって、プラスチック製配管本体の伸縮を当該固定部において吸収するようにしたことを特徴とする、プラスチック製配管の固定構造。
【請求項３】
前記プラスチック製配管がポリエチレンパイプであり、前記継手が筒状融着継手である、請求項２に記載の配管固定構造。
【発明の詳細な説明】
【技術分野】
【０００１】
本発明は、プラスチック製配管を固定する手段に関するものであり、より具体的には、プラスチック製配管の伸縮応力を効果的に吸収・分散させることによって配管全体の変形を防止するための配管用固定部材に関するものである。
【背景技術】
【０００２】
ポリエチレン等のポリオレフィン系プラスチック管は、軽量で可撓性を有するとともに耐腐食性および耐久性にもすぐれていることから、上水道、中水道および下水道などの送水用配管、農業用水配管、消火栓配管、薬液輸送用配管、海底用配管、海水取水管、給湯配管、橋梁添架管、吊り配管、山岳配管など、多様な用途において近年広く用いられている（たとえば、特許文献１参照）。
【０００３】
たとえば、高密度ポリエチレン（ＨＤＰＥ）製パイプや架橋ポリエチレン管は、耐摩耗性や耐食性等の機械的、化学的性質にすぐれていることから上述した多くの用途に利用されているが、同時にこれらポリエチレン材料は他の配管材料に較べて熱膨張率が比較的大きいという物理的性質も持っている。したがって、配管が一定の長さになると、温度変化に応じて配管が伸長および収縮する現象が顕在化する。
【０００４】
よって、プラスチック製配管の施工に際しては、上述した配管の伸縮にともなう変形や配管の蛇行を未然に防止するための対策が必要となる。
【特許文献１】特開２００５−１５５７８７号公報
【発明の開示】
【発明が解決しようとする課題】
【０００５】
本発明は、上述した従来技術の問題点に鑑みてなされたものであり、プラスチック製配管の伸縮にともなう蛇行や変形の防止が図られた配管の固定手段を提供することを目的とするものである。
【課題を解決するための手段】
【０００６】
上記の課題を解決するために、本発明に係る配管用固定部材は、プラスチック製配管の継手部を固定するための配管用固定部材において、互いに離間して対向するように配置される一対の挟持具であって、配管本体の外周の少なくとも上部半周に沿って嵌合する断面逆Ｕ字状の挟持具と、前記一対の挟持具を前記配管の前記継手部を挟むようにして継手部両端に配置して、これら一対の挟持具を連結固定するための連結具と、前記一対の挟持具を支持躯体に固定するための支持固定具とからなることを特徴とする。
【０００７】
さらに、本発明に係る配管固定構造は、プラスチック製配管本体と該プラスチック製配管本体同士を接続するための継手部からなる配管を支持躯体に固定するための配管固定構造において、請求項１に記載の配管用固定部材を用いてプラスチック製配管の継手部を固定することによって、プラスチック製配管本体の伸縮応力を効果的に吸収・分散させるようにしたことを特徴とするものである。
【０００８】
本発明の好ましい態様においては、上記のプラスチック製配管がポリエチレンパイプであり、前記継手が筒状融着継手である。
【発明の効果】
【０００９】
本発明は、上記のように構成することによって、伸縮の際に生じる応力を効果的に止めて、配管本体において効果的に分散ないし吸収させるようにしたので、配管の継手部分の固定と配管の伸縮に起因する上述した問題の双方を効果的に解消することができるというすぐれた効果を奏する。
【発明を実施するための最良の形態】
【００１０】
以下、図面を参照して本発明の好ましい態様に基づいて説明する。
【００１１】
図１は、本発明の係る配管固定構造の一例を示す外観図である。この例においては、プラスチック製配管本体１とその継手部２とから配管が構成され、配管全体はたとえば支持躯体としての地面上に配置されている。また、この例において、継手部２は後述する筒状融着継手によって形成されている。
【００１２】
図１において、本発明に係る配管用固定部材３は、プラスチック製配管の継手部２を固定するために設けられており、互いに離間して対向するように配置される一対の挟持具４ａおよび４ｂによって、継手部２が挟持されるように固定されている。すなわち、挟持具４ａ、４ｂは、配管本体１の外周の少なくとも上部半周に沿って嵌合する断面逆Ｕ字状ないし馬蹄形の金具からなり、これら一対の挟持具４ａ、４ｂは、配管の継手部２を挟むようにして継手部２の両端に配置され、これら一対の挟持具４ａと４ｂとを連結固定するための連結具５によってしっかりと締結されている。
【００１３】
連結具５としては、たとえば、継手部２の長さに応じた金属製連結棒の両端部を、馬蹄形の挟持具に形成された孔を通して３カ所でボルト締めすることによって安定的に固定することができる。さらに、これら互いに締結された一対の挟持具４ａおよび４ｂは、支持固定具６によって支持躯体（地面）に固定されている。また、支持躯体への支持固定は、アンカーボルト等によって行うことができる。さらに、図１に示す例においては、固定構造の機械的強度を高めるために、挟持具４の下部と支持固定具６とを接続するように補強板７が形成されていてもよい。
【００１４】
次に、上述した筒状融着継手について説明する。図４は、上述した筒状融着継手の施工方法を示す概要図である。この融着継手接続は、たとえばポリエチレン製の筒状の継手部材にあらかじめ埋め込まれた加熱用電熱線（電気ヒータ）に電流を流すことによって発熱・融着させて配管本体を接続する方法である。この方法では、図４に示すように、２本の配管本体１の端部を継手ソケット１０に挿入して固定し、コントローラ１１のコネクタを継手ソケット１０のターミナルピン１２に接続して、あらかじめ設定された条件で通電を行うことによって融着を行い、冷却させることによって融着継手接続が完了する。このような、融着継手は、迅速かつ簡便な工程で確実な継手を得ることができることから、本発明の配管固定構造においても好ましく採用される。また、たとえば、鋼製短管を用いて継手を形成する方法に比べて、金属腐食の問題やパッキンのメンテナンスの煩雑化、短管とポリエチレン管とのフランジの取り合いにともなうコストの増大等の問題を解消することができる点でもすぐれている。
【００１５】
図２は、本発明の他の好ましい態様を配管の横方向からみた外観図である。この例においては、挟持具４ａおよび４ｂが、配管本体１の外周に嵌合するように設けられたリブ４０を具備する。この例においても、補強板７が形成されていてもよい。
【００１６】
図３は、図２の配管断面方向からみた図であり、承板９によって配管本体１を支持するように構成されている。本発明においては、このような付加的な支持手段も本発明の配管固定部材に含まれる。
【００１７】
図示のように、図２および図３の実施態様における配管固定構造においては、配管用固定部材３は、プラスチック製配管の融着継手部２を固定するために設けられており、互いに離間して対向するように配置される一対の挟持具４ａおよび４ｂによって、継手部２が挟持されるように固定されている。この例においても、挟持具４ａ、４ｂは、配管本体１の外周の少なくとも上部半周に沿って嵌合する断面逆Ｕ字状ないし馬蹄形の金具からなり、これら一対の挟持具４ａ、４ｂは、配管の継手部２を挟むようにして継手部２の両端に配置され、これら一対の挟持具４ａと４ｂとを連結固定するための連結具５によって締結されている。この場合も、継手部２の長さに応じた金属製連結棒の両端部を、馬蹄形の挟持具４に形成された孔を通して３カ所でボルト締めすることによって固定されている。さらに、これら互いに締結された一対の挟持具４ａおよび４ｂは、アンカーボルトを含む支持固定具６によって支持躯体８に固定されている。
【００１８】
従来、ポリエチレン管が他の配管部材に較べて熱膨張率が大きいという物理的性質を有すること、ならびにこの性質に起因して温度変化に応じて配管が伸長および収縮する現象自体は知られていた。しかしながら、このような配管の伸縮にともなう変形や配管の蛇行を効果的に防止するための具体的な方法については未だ有効な手段が開発されていないのが現状である。
【００１９】
本発明者らは、プラスチック製配管の伸縮応力は配管の継手部分ならびに配管全体にわたって発生していることに着目し、さらにこのようにして発生した伸縮応力が、継手部分を上記のような本発明の固定構造によって固定することによって伸縮荷重を止めて配管本体において効果的に応力が吸収ないし分散されることが判明した。すなわち、本発明においては、上記のような配管固定部材を用いて配管の継手部分を挟み込むようにして堅固に固定しているので、ポリエチレン管等のプラスチック配管本体に生じる伸縮応力を継手部分において止めて配管全体においてこれを巧妙に吸収することができる。これによって、配管の継手部分の固定と配管の伸縮に起因する上述した問題の双方を効果的に解消することができるというすぐれた効果を奏する。
【図面の簡単な説明】
【００２０】
【図１】本発明の一実施態様を示す外観図。
【図２】本発明一実施態様を示す外観図。
【図３】図２に示す配管固定構造の断面図。
【図４】筒状融着継手の施工方法を示す概要図。
【符号の説明】
【００２１】
１  配管本体
２  継手部
３  配管固定部材
４ａ、４ｂ  挟持具
５  連結具
６  支持固定具  
７  補強板
８  支持躯体
９  承板
１０  継手ソケット
１１  コントローラ
１２  ターミナルピン
【図１】
2008121741.tif 000003
【図２】
2008121741.tif 000004
【図３】
2008121741.tif 000005
【図４】
2008121741.tif 000006